(57)【要約】【課題】本発明は、袋材内への薬剤の導入作業を簡便に行うことができる新規なパックシートキット、及び、このパックシートキットに用いられる袋材並びに薬剤容器を提供することを目的とする。【解決手段】  袋材２内に薬剤Ｄを導入することによって、前記袋材２内でパックシート３と薬剤Ｄとを接触させた後、前記袋材２から前記パックシート３を取り出す使用態様となされたパックシートキット１において、前記袋材２内への薬剤Ｄの導入につき、前記袋材２に設けられた薬剤受口５と薬剤容器４に設けられた注入口６とが連結された状態で行い得るように、前記注入口６を前記薬剤受口５に差し込み得る形状とする。【選択図】図１
2018000758.tif 000002
【特許請求の範囲】
【請求項１】
袋材と、
前記袋材内に封入されたパックシートと、
薬剤が入れられた薬剤容器と、
を具備してなり、
前記袋材内に薬剤を導入することによって、前記袋材内でパックシートと薬剤とを接触させた後、前記袋材から前記パックシートを取り出す使用態様となされたパックシートキットであって、
前記袋材に薬剤受口が設けられ、
前記薬剤容器に注入口が設けられてなり、
前記袋材内への薬剤の導入が、前記薬剤受口と前記注入口とが連結された状態で行い得るように、
前記注入口が前記薬剤受口に差し込み得る形状となされたことを特徴とするパックシートキット。
【請求項２】
請求項１に記載のパックシートキットにおいて、
前記薬剤受口に、前記袋材内への薬剤の導入を許容し、前記袋材外への薬剤の流出を制限する逆止弁が備えられてなるパックシートキット。
【請求項３】
請求項１又は２に記載のパックシートキットにおいて、
前記袋材内に、前記薬剤とは異なる別の薬剤が充填されてなるパックシートキット。
【請求項４】
請求項１ないし３のいずれか１項に記載のパックシートキットにおいて用いられることを特徴とする袋材。
【請求項５】
請求項１ないし３のいずれか１項に記載のパックシートキットにおいて用いられることを特徴とする薬剤容器。
【発明の詳細な説明】
【技術分野】
【０００１】
本発明は、袋材内に薬剤を導入することによって、前記袋材内でパックシートと薬剤とを接触させた後、前記袋材から前記パックシートを取り出す使用態様となされたパックシートキット、及び、このパックシートキットに用いられる袋材並びに薬剤容器に関する。
【背景技術】
【０００２】
パックシートは、皮膚表面に貼付されることによって、前記パックシートに担持された薬剤中に含まれる有効成分（例えば、美白成分や潤い成分）を経皮吸収的に投与するものである。
【０００３】
この種のパックシートとしては、袋材内に不織布などのシート状の支持体と共に液状の薬剤を封入し、使用時に前記袋材を開封する使用形態のものが一般的である。最近では、袋材の開封後、前記袋材内に封入された薬剤と異なる添加物質を導入することによって、前記袋材内でパックシートに添加物質を担持させる使用態様となされたものも開発されている（例えば、下記特許文献１、［図１２］参照。）。
【先行技術文献】
【特許文献】
【０００４】
【特許文献１】特開２０１３‐１７９９８３号公報
【発明の概要】
【発明が解決しようとする課題】
【０００５】
即ち、前記特許文献１に開示されたパックシート（マスクパック包装部材）によれば、使用時に導入された添加物質の種類によって、パックシートの効能を選択することができるため、使用上の利便性を向上させることができる。
【０００６】
しかしながら、パックシートに用いられる袋材は扁平状のものが一般的であり、自立ができないため据え置くことが困難である。添加物質の導入作業中に前記袋材が倒れると、薬剤や添加物質が漏出する。
【０００７】
又、添加物質の導入後は、添加物質をパックシートになじますために前記袋材を揉むことが好ましいのであるが、開封された袋材を、薬剤や添加物質が漏出しないように揉むことは困難である。
【０００８】
本発明は前記技術的課題に鑑みて開発されたものであり、袋材内への薬剤の導入作業を簡便に行うことができる新規なパックシートキット、及び、このパックシートキットに用いられる袋材並びに薬剤容器を提供することを目的とする。
【課題を解決するための手段】
【０００９】
前記技術的課題を解決するための本発明のパックシートキットは、袋材と、前記袋材内に封入されたパックシートと、薬剤が入れられた薬剤容器と、を具備してなり、前記袋材内に薬剤を導入することによって、前記袋材内でパックシートと薬剤とを接触させた後、前記袋材から前記パックシートを取り出す使用態様となされたパックシートキットであって、前記袋材に薬剤受口が設けられ、前記薬剤容器に注入口が設けられてなり、前記袋材内への薬剤の導入が、前記薬剤受口と前記注入口とが連結された状態で行い得るように、前記注入口が前記薬剤受口に差し込み得る形状となされたことを特徴とする（以下、「本発明キット」と称する。）。
【００１０】
前記本発明キットにおいては、前記薬剤受口に、前記袋材内への薬剤の導入を許容し、前記袋材外への薬剤の流出を制限する逆止弁が備えられてなるものが好ましい態様となる。
【００１１】
前記本発明キットにおいては、前記袋材内に、前記薬剤とは異なる別の薬剤が充填されてなるものが好ましい態様となる。
【００１２】
本発明の袋材は、前記本発明キットにおいて用いられることを特徴とする（以下、「本発明袋材」と称する。）。
【００１３】
本発明の薬剤容器は、前記本発明キットにおいて用いられることを特徴とする（以下、「本発明容器」と称する。）。
【発明の効果】
【００１４】
本発明によれば、袋材内への薬剤の導入作業を簡便に行うことができる。
【図面の簡単な説明】
【００１５】
【図１】図１（ａ）は、実施形態１に係る本発明キットを示す正面図であり、図１（ｂ）は、薬剤受口の存する部分を拡大して示す斜視図である。
【図２】図２（ａ）〜（ｄ）は、前記本発明キットの使用態様を示す概略図である。
【図３】図３（ａ）は、実施形態２に係る本発明キットを示す正面図であり、図３（ｂ）は、薬剤受口の存する部分を拡大して示す断面図である。
【図４】図４（ａ）〜（ｃ）は、前記本発明キットの使用態様を示す概略図である。
【発明を実施するための形態】
【００１６】
以下、本発明の実施形態を説明するが、本発明はこれらの実施形態に限定されるものではない。
【００１７】
＜実施形態１＞
‐本発明キット１‐
図１（ａ）に、実施形態１に係る本発明キット１を示す。本発明キット１は、本発明袋材２と、パックシート３と、本発明容器４と、を具備してなる。
【００１８】
‐本発明袋材２‐
本実施形態では、前記本発明袋材２として、重ね合わされた二枚のアルミ蒸着シート２０の周縁がヒートシールにて融着された扁平状袋材を用いた。そして、本発明キット１においては、前記本発明袋材２に、後述する薬剤受口５が設けられる。なお、前記袋材２の一辺には、開封用の切り欠き２２が設けられている。
【００１９】
‐パックシート３‐
前記パックシート３は、前記本発明袋材２内に封入される。前記パックシート３としては、織布や不織布、或いはゲルシートなどの水分を含侵し得る素材からなるシート状の基材が用いられる。本実施形態においては、前記パックシート３として、人の顔面に貼付し得る形状となされた不織布を用いた。
【００２０】
‐本発明容器４‐
前記本発明容器４は、前記本発明袋材２とは別体となされており、液状又は粉状の薬剤Ｄが入れられる。本実施形態においては、前記本発明容器４として、柔軟なポリエチレン製のブローボトルを用いた。そして、本発明キット１においては、前記本発明容器４に、後述する注入口６が設けられる。
【００２１】
‐薬剤受口５‐
前記薬剤受口５は、前記本発明容器４に入れられた薬剤Ｄを前記本発明袋材２内に導入する役割を担う。図１（ｂ）に示すように、本実施形態において、前記薬剤受口５は、開口部５０を有する船形状の薬剤受口本体５１と、前記開口部５０の開口端に嵌め込まれたリング体５２とを具備する。前記薬剤受口５は、前記本発明袋材２の周縁をヒートシールする際に、前記薬剤受口本体５１の側面を、二枚のアルミ蒸着シート２０間の融着代に挟み込ませることによって、前記本発明袋材２に固定されている。なお、本発明キット１の流通時や保存時において、前記薬剤受口５の開口部５０の開口端は、シールＳやキャップなどによって閉じておくことが好ましい。
【００２２】
‐注入口６‐
前記注入口６は、前記薬剤受口５に差し込み得る形状となされる。本実施形態においては、前記本発明容器４を形成する際に、中空の突出端を連設することによって前記注入口６を形成した。
【００２３】
‐本発明キット１の使用態様‐
図２に、本発明キット１の使用態様を示す。本発明キット１は、前記本発明袋材２内に薬剤Ｄを導入することによって、前記本発明袋材２内で前記パックシート３と薬剤Ｄとを接触させた後、前記本発明袋材２から前記パックシート３を取り出す使用態様となされている。
【００２４】
本実施形態に係る本発明キット１を使用するにあたっては、まず、図２（ａ）に示すように、前記本発明容器４に設けられた前記注入口６の先端をカットすることによって、前記本発明容器４を開封する。
【００２５】
次いで、図２（ｂ）に示すように、前記本発明袋材２に設けられた前記薬剤受口５の開口端を塞ぐ前記シールＳを剥がし採る。
【００２６】
この状態で、図２（ｃ）に示すように、前記注入口６を前記薬剤受口５の開口部５０に差し込み、前記本発明容器４に圧力を加えれば、前記本発明容器４中の薬剤Ｄが前記本発明袋材２中に導入される。前記本発明袋材２中に導入された薬剤Ｄは、前記本発明袋材２中に存する前記パックシート３と接触する。
【００２７】
最後に、図２（ｄ）に示すように、前記本発明袋材２に設けられた切り欠き２２を利用して、前記本発明袋材２を開封し、前記パックシート３を取り出す。なお、前記本発明袋材２の開封前に、前記本発明袋材２を揉めば、前記本発明袋材２中に導入された薬剤Ｄをより一層均一に前記パックシート３になじますことができる。
【００２８】
このような使用態様となされた本発明キット１は、前記本発明袋材２内への薬剤Ｄの導入が、前記薬剤受口５と前記注入口６とが連結された状態で行うことができるから、薬剤Ｄの導入中の漏れを極力防ぐことができる。
【００２９】
又、前記本発明袋材２への薬剤Ｄの導入は、前記薬剤受口５を通じて行われるため、この時点において、前記本発明袋材２自体は開封されていない。そのため、その後、薬剤Ｄを均一に前記パックシート３になじませるために、前記本発明袋材２を揉んでも薬剤Ｄの流出を抑制することができる。
【００３０】
なお、本実施形態においては、前記本発明袋材２内に前記パックシート３のみが封入されているが、前記本発明袋材２内には、予め薬剤Ｄとは異なる別の薬剤（例えば、化粧水）を前記パックシート３と共に封入しても良い。このように前記本発明袋材２内に、別の薬剤を前記パックシート３と共に封入しておき、他の有効成分（例えば、美白成分や収斂成分など）を有する薬剤Ｄを選択的に導入すれば、その日の肌状態に合わせたケアを行うことが可能となる。又、別の薬剤と薬剤Ｄとを、使用直前に混合する使用態様とすれば、別の薬剤と長期の共存が困難な薬剤Ｄであっても使用可能になる。
【００３１】
＜実施形態２＞
‐本発明キット１‐
図３（ａ）に、実施形態２に係る本発明キット１を示す。本発明キット１は、本発明袋材２と、パックシート３と、本発明容器４と、を具備してなる。図３（ｂ）に示すように、本実施形態に係る本発明キット１は、前記本発明袋材２に設けられた薬剤受口５に、逆止弁７が備えられている以外は、前記実施形態１に係る本発明キット１と同様である。
【００３２】
‐逆止弁７‐
前記逆止弁７は、前記薬剤受口５に、前記本発明袋材２内への薬剤Ｄの導入を許容し、前記本発明袋材２外への薬剤Ｄの流出を制限する役割を担う。本実施形態においては、前記逆止弁７として、フラップ弁を用いた。
【００３３】
‐本発明キット１の使用態様‐
図４に、本実施形態に係る本発明キット１の使用態様を示す。本実施形態に係る本発明キット１の使用態様は、前記実施形態１に係る本発明キット１の使用態様と同様である。
【００３４】
但し、本発明キット１においては、前記薬剤受口５に前記逆止弁７が備えられていることから、図４（ｂ）に示すように、前記本発明袋材２内への薬剤Ｄの導入が許容される一方で、図４（ｃ）に示すように、前記薬剤受口５から本発明容器４の注入口６を抜いた際には、前記本発明袋材２外への薬剤Ｄの流出が制限される。これより、より一層、前記本発明袋材２からの薬剤Ｄ（及び別の薬剤）の流出を防止することができる。
【００３５】
ところで、本実施形態においては、前記逆止弁７としてフラップ弁を用いたが、前記逆止弁７は、前記本発明袋材２内への薬剤Ｄの導入を許容し、前記本発明袋材２外への薬剤Ｄの流出を制限するものであればどの形式のものであっても良い。
【００３６】
又、本発明キット１においては、薬剤Ｄの導入の際、前記注入口６を前記薬剤受口５に差し込むことによって、前記薬剤受口５と前記注入口６とを連結するが、この連結構造は、必ずしも、前記注入口６を前記薬剤受口５に突き刺すことによって行われる仕組み限られない。前記薬剤受口５と前記注入口６との連結構造は、例えば、前記注入口６を前記薬剤受口５にねじ込むことによって行い得る仕組みとしても良い。
【００３７】
その余は、前記実施形態１で説明した事項と同様のため、繰り返しを避けるべくここでは説明を省略する。
【００３８】
なお、本発明は、その精神又は主要な特徴から逸脱することなく、他のいろいろな形態で実施することができる。そのため、上述の実施例はあらゆる点で単なる例示に過ぎず、限定的に解釈してはならない。本発明の範囲は特許請求の範囲によって示すものであって、明細書本文には何ら拘束されない。更に、特許請求の範囲の均等範囲に属する変形や変更は、すべて本発明の範囲内のものである。
【産業上の利用可能性】
【００３９】
本発明キットは、皮膚表面に貼着されて使用されるパックシートとして好適に用いられる。
【符号の説明】
【００４０】
１  本発明キット（パックシートキット）
２  本発明袋材（袋材）
３  パックシート
４  本発明容器（薬剤容器）
５  薬剤受口
６  注入口
７  逆止弁
Ｄ  薬剤
【図１】
2018000758.tif 000003
【図２】
2018000758.tif 000004
【図３】
2018000758.tif 000005
【図４】
2018000758.tif 000006